(57)【特許請求の範囲】
【請求項１】
上面に開口を有し加熱源を収納するとともにキッチンカウンターに設けられた開口部に嵌
入する本体ケースと、前記上面の開口を覆うように前記本体ケースに固定されたトッププレートユニットとを有する本体を備えた組込み型加熱調理器であって、前記本体ケースの側壁には、前記本体ケースの内側に向かって凸状となるように、前記本体ケースの側壁が曲げられて形成された凸部が設けられており、トッププレートを前記キッチンカウンターの上面と略同一面になるように構成し、前記トッププレートまたはそれを保持するアンダーフレームの下面と、前記本体ケースの内側へ飛び出した前記凸部の上面との間に所定のクリアランスを確保した組込み型加熱調理器。
【請求項２】
前記本体ケースの内側に飛び出した凸部を傾斜面にした請求項１に記載の組込み型加熱調理器。
【請求項３】
前記トッププレートユニットは、被加熱物を載置するトッププレートと、前記トッププレートを上面に載置して保持するとともに、前記キッチンカウンターの上面に周縁部下面が接して載置されるアンダーフレームと、前記トッププレートの外周縁の上部を覆う飾り板とを有し、前記飾り板は、その外周縁部が前記アンダーフレームの外周縁部を挟み込むように前記アンダーフレームの下面側に折り曲げられて形成された折り合わせ部を有した請求項１または２に記載の組込み型加熱調理器。
【請求項４】
前記折り合わせ部の少なくとも一部が前記アンダーフレームの外周縁部とキッチンカウンターの上面とで挟み込まれ、前記本体の全重量の一部又は全部が前記折り合わせ部の少なくとも一部に加わるように構成した請求項３に記載の組込み型加熱調理器。
【請求項５】
前記アンダーフレームは、前記トッププレートを載置する面が、前記飾り板が載置されるキッチンカウンターの上面より低くなるように構成した請求項３または４に記載の組込み型加熱調理器。
【請求項６】
前記トッププレートが入り込んだ、飾り板の折り合わせ部と重なる部分を除く前記アンダーフレームは本体ケースの内側に配設した請求項３から５のいずれか１項に記載の組込み型加熱調理器。
【発明の詳細な説明】
【技術分野】
【０００１】
本発明は、一般家庭のキッチンカウンター内に組み込まれる組込み型加熱調理器に関するものである。
【背景技術】
【０００２】
従来、キッチンカウンターと略同一面とする構成の組込み型加熱調理器は、キッチンカウンター開口部に段差を設け専用キッチンカウンターとし、略同一面を実現している（例えば、特許文献１参照）。
【０００３】
図５は、特許文献１に記載された従来の組込み型加熱調理器（誘導加熱調理器）を示すものである。
【０００４】
図５に示すように、キッチンカウンター１６に設けられた開口部に嵌入する本体外郭と、前記上面の開口を覆うように前記本体外郭に固定され下面がキッチンカウンター１６に載置されるトッププレートユニットとを有する本体を備えた組込み型加熱調理器であって、前記トッププレートユニットは、被加熱物を載置するトッププレートと、前記トッププレートを上面に載置して保持するとともに、前記キッチンカウンターの上面に周縁部が対向するアンダーフレームと、前記トッププレートの外周縁の上部を覆う飾り板とを有し、前記飾り板は、その外周縁部が前記アンダーフレームの外周縁部を挟み込むように前記アンダーフレームの下面側に折り曲げられて形成された折り合わせ部を有し、図５に示すように、組み込み型加熱調理器が嵌入する開口部が形成されたキッチンカウンター１６が、前記組み込み型加熱調理器を載置する天面と、前記天面における前記開口部の周縁に前記天面より低くなるように形成された段部とを有し、前記折り合わせ部の下面を前記天面に当接させる一方、前記アンダーフレームの一部の下面と前記段部の上面との間に所定のクリアランスを設けた構成となっている。
【先行技術文献】
【特許文献】
【０００５】
【特許文献１】特開２００６−３００３８２号公報
【発明の概要】
【発明が解決しようとする課題】
【０００６】
しかしながら、前記従来の図５に示される構成では汎用のキッチンカウンター（ＪＩＳ
Ａ００１７に示される開口寸法）では設置する事が出来ず、トッププレートユニットの形状に合わせ、キッチンカウンターに段落ち面を適宜設けなければならないという課題を有していた。
【０００７】
また、トッププレートをキッチンカウンターの開口寸法内にした場合、本体を保持しているのがトッププレートユニットの折り合わせ部のみの為、想定外の重量物が調理面上に置かれた場合に、トッププレートユニットのみでは支えきれず、トッププレートが脱落してしまう可能性があるという課題を有していた。
【０００８】
本発明は、従来技術の有するこのような問題点に鑑みてなされたものであり、ＪＩＳ  Ａ００１７に示される開口寸法で、キッチンカウンターを加工する事なく組込める、組込み型加熱調理器を提供することを目的としている。
【課題を解決するための手段】
【０００９】
上記従来の課題を解決するために、本発明の組込み型加熱調理器は、上面に開口を有し加熱源を収納するとともにキッチンカウンターに設けられた開口部に嵌入する本体ケースと、前記上面の開口を覆うように前記本体外郭に固定されたトッププレートユニットとを有する本体を備えた組込み型加熱調理器であって、前記本体ケースの側壁には、前記本体ケースの内側に向かって凸状となるように、前記本体ケースの側壁が曲げられて形成された凸部が設けられており、トッププレートを前記キッチンカウンターの上面と略同一面になるように構成し、前記トッププレートまたはそれを保持するアンダーフレームの下面と、前記本体ケースの内側へ飛び出した前記凸部の上面との間に所定のクリアランスを確保したものである。
【００１０】
これによって、トッププレートの上面とキッチンカウンターの天面との段差を顕著に少なくし略同一面になるように構成するとともに、重量がかかり支えることができない事態が発生して調理面であるトッププレートが下方に沈み込むと、本体ケースの内側に飛び出した凸部の上面に当接して、重量を支えることができる。
【発明の効果】
【００１１】
本発明の組込み型加熱調理器は、アンダーフレームのトッププレート載置面が、飾り板が載置されるキッチンカウンターの上面より低くなるように設定しているので、トッププレートの上面とキッチンカウンターの天面との段差を顕著に少なくし略同一面になるように構成することができ、堅牢性、清掃性、使い勝手も向上し、システムキッチンのトータルデザイン性を向上、汎用のシステムキッチンにキッチンカウンターを加工する事なく組込めて設置する事が出来るので、トータルコストを抑える事も出来る。
【図面の簡単な説明】
【００１２】
【図１】本発明の実施の形態１における組込み型加熱調理器の要部断面図
【図２】本発明の実施の形態１における組込み型加熱調理器を構成する本体ケースおよびトッププレートユニットをそれぞれ示した斜視図
【図３】本発明の実施の形態１における組込み型加熱調理器を構成するトッププレートユニットの分解斜視図
【図４】本発明の実施の形態２における組込み型加熱調理器の要部断面図
【図５】従来の組込み型加熱調理器の要部断面図
【発明を実施するための形態】
【００１３】
第１の発明は、上面に開口を有し加熱源を収納するとともにキッチンカウンターに設けられた開口部に嵌入する本体ケースと、前記上面の開口を覆うように前記本体ケースに固定されたトッププレートユニットとを有する本体を備えた組込み型加熱調理器であって、前記本体ケースの側壁には、前記本体ケースの内側に向かって凸状となるように、前記本体ケースの側壁が曲げられて形成された凸部が設けられており、トッププレートを前記キッチンカウンターの上面と略同一面になるように構成し、前記トッププレートまたはそれを保持するアンダーフレームの下面と、前記本体ケースの内側へ飛び出した前記凸部の上面との間に所定のクリアランスを確保したものである。
【００１４】
これによって、トッププレートの上面とキッチンカウンターの天面との段差を顕著に少なくし略同一面になるとともに、重量がかかり支えることができない事態が発生して調理面であるトッププレートが下方に沈み込むと、本体ケースの内側に飛び出した凸部の上面に当接して、重量を支えることができ、且つ、清掃性や使い勝手が向上し、システムキッチンのトータルデザイン性を向上、汎用のシステムキッチンに設置する事が出来るので、トータルコストを抑える事が出来る。
【００１５】
第２の発明は、特に、第１の発明の本体ケースの内側に飛び出した凸部を傾斜面にしたものである。
【００１６】
これによって、何らかの理由（例えば、想定外の重量物が調理面上に置かれる等）で誘導加熱調理器の全重量を折り合わせ部８の下面で支えることができない事態が発生して調
理面であるトッププレートが下方に沈み込むと、本体ケースの内側に飛び出した凸部の傾斜部に当接して、上方から受けた荷重は本体ケースを外周方向へ広げる荷重に変換する事になり、荷重を分散させることで加熱調理器全重量を支えることができ、不測の事態を回避することが可能となる。
【００１７】
第３の発明は、特に、第１または第２の発明において、組み込み型加熱調理器が嵌入する開口部が形成されたキッチンカウンターが、前記組み込み型加熱調理器を載置する天面と、前記折り合わせ部の下面を前記天面に当接させる一方、前記アンダーフレームの一部の下面と本体ケースより内側に飛び出した凸部との間に所定のクリアランスを確保し、前記アンダーフレームの下面であって前記所定のクリアランスが確保できる位置にシール材を配設したものである。
【００１８】
本体ケース２内部への水や汚れの浸入を防止することができる。
【００１９】
第４の発明は、特に、第１または第２の発明において、トッププレートユニットは、被加熱物を載置するトッププレートと、前記トッププレートを上面に載置して保持するとともに、前記キッチンカウンターの上面に周縁部下面が接して載置されるアンダーフレームと、前記トッププレートの外周縁の上部を覆う飾り板とを有し、前記飾り板は、その外周縁部が前記アンダーフレームの外周縁部を挟み込むように前記アンダーフレームの下面側に折り曲げられて形成された折り合わせ部を有したものである。
【００２０】
これによって、本体ケースとトッププレートユニットの折り合わせ部で堅牢性、デザイン性を向上することができる。
【００２１】
第４の発明は、特に、第３の発明において、前記折り合わせ部の少なくとも一部が前記アンダーフレームの外周縁部とキッチンカウンターの上面とで挟み込まれ、前記本体の全重量の一部又は全部が前記折り合わせ部の少なくとも一部に加わるように構成したものである。
【００２２】
これによって、仮に接着剤が劣化して接着力が弱くなったり、あるいは強い剥離力が働いたとしても、トッププレートが脱落したり、トッププレートと飾り板との間に隙間ができることがなく、調理面から本体ケース内部への水や汚れの浸入を防止することができる。
【００２３】
第５の発明は、特に、第３または第４の発明において、前記アンダーフレームは、前記トッププレートを載置する面が、前記飾り板が載置されるキッチンカウンターの上面より低くなるように構成したものである。
【００２４】
これによって、アンダーフレームのフランジ部の面の位置をトッププレートの上面に近い高さになるように配設することができるので、飾り板の上面の高さはトッププレートの肉厚を含まない寸法に設定することが可能となり、キッチンカウンターの上面からトッププレートユニットの上面までの高さ寸法を顕著に小さくすることができ、誘導加熱調理器１の天面の清掃性、調理時の使い勝手やデザイン性が向上する。
【００２５】
第６の発明は、特に、第３から第５のいずれか１つの発明において、前記トッププレートが入り込んだ、飾り板の折り合わせ部と重なる部分を除く前記アンダーフレームは本体ケースの内側に配設したものである。
【００２６】
これによって、アンダーフレームのフランジ部の位置をトッププレートの上面に近い高さになるように配設することができる。また、飾り板とキッチンカウンターの上面の隙間
をなくすことができる。
【００２７】
以下、本発明の実施の形態について、図面を参照しながら説明する。なお、この実施の形態によって本発明が限定されるものではない。
【００２８】
（実施の形態１）  
図１は、本発明の第１の実施の形態における組込み型加熱調理器の要部断面図を示しており、図２は本発明の第１の実施の形態における組込み型加熱調理器を構成する本体ケースおよびトッププレートユニットをそれぞれ示した斜視図  、図３は本発明の第１の実施の形態における組込み型加熱調理器を構成するトッププレートユニットの分解斜視図である。
【００２９】
図１および図３に示すように、組込み型加熱調理器である誘導加熱調理器１の本体は、上面に開口を有する箱状の本体ケース２と本体ケース２の上面開口を覆うように、本体ケース２に固定されるトッププレートユニット３を有している。
【００３０】
トッププレートユニット３は、後方部において上方からねじ締めにより（例えば、３箇所）本体ケース２に設けられた固定片２ａに固定するとともに、トッププレートユニット３の前部近傍の下面から略垂直に垂れ下がるように設けられた取付フック４ａの先端を本体ケース２にビス締め固定（例えば、３箇所）する。
【００３１】
本体ケース２の内部には、トッププレートユニット３の上に載置された被加熱物（例えば金属鍋）を誘導加熱するための誘導加熱コイル１ａと、誘導加熱コイル１ａに高周波電流を供給するインバーター回路１ｂと、誘導加熱コイル１ａやインバーター回路１ｂを含む内部部品を冷却するための冷却装置１ｃが配設されている。
【００３２】
また、トッププレートユニット３は、セラミックなどの電気絶縁板で形成されたトッププレート５が、ステンレス板で枠状に形成された飾り板６と鉄板などの剛性のある金属材料で形成されたアンダーフレーム４とで挟持されて一体となるように構成されている。
【００３３】
トッププレートユニット３には吸気口３ａと排気口３ｂが形成され、飾り板６とアンダーフレーム４には対応した開口部が設けられている。
【００３４】
図３はトッププレートユニット３が組み立てられる前の状態を示しており、飾り板６の折り合わせ部８は、トッププレート５の上面に対して垂直下方に折り曲げられ、トッププレートユニット３が組み立てられた後にアンダーフレーム４の下面側に折り曲げられる。
【００３５】
また、アンダーフレーム４の上にトッププレート５を載置する際に、アンダーフレーム４のトッププレート側に位置する所定の部位に接着剤１１を塗布して、アンダーフレーム４とトッププレート５を接着固定している。
【００３６】
また、アンダーフレーム４は、トッププレート５の外周縁より外方向に、全周にわたって張り出すように形成されている。
【００３７】
飾り板６は、その内周縁の端部がトッププレート５に接触し、内側に向かって下方斜めに傾斜するように折り曲げられ、さらに、外方向に向かって下るように傾斜し、アンダーフレーム４の端部で内側に折り込まれ、アンダーフレーム４の下面に沿うように、かしめられて形成されている。
【００３８】
また、飾り板６とトッププレート５の間には、トッププレート５の外周縁に沿ってその
上面に塗布された接着剤１１が介在している。飾り板６のアンダーフレーム４の下面に折り込まれた部分とアンダーフレーム４のフランジ部７の面との間には隙間ができないようになっている。
【００３９】
また、アンダーフレーム４をトッププレート５の端縁部の外側で上方に立ち上げ、トッププレート５の上面より高い位置で外側に向かって略水平に折り曲げてフランジ部７を形成し、フランジ部７をキッチンカウンター９に載置することにより、アンダーフレーム４は、トッププレート５を載置する面より、飾り板６の折り曲げた部分が載置されるキッチンカウンター９の上面より低くなるように構成される。
【００４０】
さらに、本体ケース２に内側に飛び出した凸部１２を設け、アンダーフレーム４の一部の下面と凸部１２の上面に略０．５ｍｍのクリアランスを設けるよう構成される。
【００４１】
以上のように構成された誘導加熱調理器について、以下、その作用、効果を説明する。
【００４２】
まず、トッププレート５は飾り板６との間を全周にわたって接着剤１１でシールされているので、調理面から本体ケース２内部への水や汚れた液体が侵入するのを防止する。
【００４３】
トッププレート５とアンダーフレーム４との間は、所定の部位に設けられた接着剤１１により両者が相互に固定されるとともに、飾り板６が、枠状になっており、その内縁先端部でトッププレート５を上から押さえ、アンダーフレーム４の先端部で全周に渡って内側に折り曲げられて折り合わせ部（折曲部）８が形成され、飾り板６がアンダーフレーム４の外周端部全周を包み込むように、かしめられている。
【００４４】
したがって、トッププレート５は、アンダーフレーム４に機械的にも固定されるため、仮に接着剤が劣化して接着力が弱くなったり、あるいは強い剥離力が働いたとしても、トッププレート５がアンダーフレーム４から脱落したり、トッププレート５と飾り板６との間に隙間ができることがなく、調理面から本体ケース２内部への水や汚れの浸入を防止する。
【００４５】
特に、プレス加工などによる金属部品の接着は表面に付着した加工油を完全に脱脂しなければ接着性能に大きく影響するため、従来の接着のみに頼る構成と異なりトッププレートユニット３の堅牢性やシール性を高め、品質を安定させることができる。
【００４６】
また、アンダーフレーム４は、トッププレート５を載置する面の位置より、飾り板６の折り合わせ部８が載置されるキッチンカウンター９の上面より低くなるように構成されていることにより、図１に示すように、アンダーフレーム４のフランジ部７の面の位置をトッププレート５の上面に近い高さになるように配設することができる。
【００４７】
飾り板６の上面の高さはトッププレート５の肉厚を含まない寸法に設定できるため、キッチンカウンター９の上面からトッププレートユニット３の上面までの高さ寸法を顕著に小さくすることができ、誘導加熱調理器１の天面の清掃性、調理時の使い勝手やデザイン性が向上する。
【００４８】
加えて、アンダーフレーム４の底面と本体ケース２の内側に飛び出した凸部１２の上面とのクリアランスを所定の値に設定すると、折り合わせ部８の下面で誘導加熱調理器１の全重量を通常支えているものの、何らかの理由（例えば、想定外の重量物が調理面上に置かれる等）で誘導加熱調理器１の全重量を折り合わせ部８の下面で支えることができない事態が発生して、調理面であるトッププレート５が下方に沈み込むと、本体ケース２の内側に飛び出した凸部１２の上面に当接して、本体ケースのフランジ１０へと荷重が伝わり
、本体ケース２と折り合わせ部８の下面で誘導加熱調理器１の全重量を支えることができ、不測の事態を回避することができ、補強部品を追加する事なく、汎用キッチンに設置出来るので、トータルコストを抑える事が出来る。
【００４９】
なお、本実施の形態１では、組込み型の誘導加熱調理器で説明したが、本実施の形態で示したトッププレートユニットの構成は、例えば、ラジエントヒーターやガスを熱源とする加熱調理器であって、耐熱ガラスなどを天面に有する組込み型の加熱調理器に適用しても同様の作用、効果を奏する。
【００５０】
なお、アンダーフレーム４と飾り板６の形状は、本実施の形態１に記載された構成に限定されるものではなく、本実施の形態の意図する範囲で適宜変更してもよい。
【００５１】
（実施の形態２）
図４は、本発明の第２の実施の形態における組込み型加熱調理器の要部断面図である。なお、本実施の形態２の基本構成は実施の形態１と同様であるので、その説明は省略し、相違点を中心に説明する。また実施の形態１と同じ機能には同じ符号を付してその説明を省略する。
【００５２】
図１に示した実施の形態１のアンダーフレーム４の下面と所定のクリアランスを設けた、本体ケース２の凸部１２の上面の形状は、略水平の角度で飛び出した形状であるのに対し、本実施の形態においては、図４に示すように、アンダーフレーム４の下面と略０．５ｍｍのクリアランスを設け、本体ケース２の内側に飛び出した凸部のアンダーフレーム４に当接する面を約４５度の傾斜面にしている。
【００５３】
以上のように構成された誘導加熱調理器について、以下、その作用、効果を説明する。
【００５４】
傾斜部１３の上面とアンダーフレーム４の下面Ｒ部分とのクリアランスを所定の値に設定すると、折り合わせ部８の下面で誘導加熱調理器１の全重量を通常支えているものの、何らかの理由（例えば、想定外の重量物が調理面上に置かれる等）で誘導加熱調理器１の全重量を折り合わせ部８の下面で支えることができない事態が発生して調理面であるトッププレート５が下方に沈み込むと、本体ケース２の内側に飛び出した傾斜部１３に当接して、本体ケース２のフランジ１０へと荷重が伝わると共に、上方から受けた荷重は本体ケース２を外周方向へ広げる荷重、すなわち本体ケース２のフランジ１０のキッチンカウンターへの架かり代を増やす方向の荷重へ最大５０％変換する事により、実施の形態１よりも、さらに、荷重を分散させ、本体ケース２と折り合わせ部８の下面で誘導加熱調理器１の全重量を支えることができ、不測の事態を回避することができる。
【００５５】
なお、本実施の形態２では、組込み型の誘導加熱調理器で説明したが、本実施の形態で示したトッププレートユニットの構成は、例えば、ラジエントヒーターやガスを熱源とする加熱調理器であって、耐熱ガラスなどを天面に有する組込み型の加熱調理器に適用しても同様の作用、効果を奏する。
【００５６】
なお、アンダーフレーム４と飾り板６の形状は、本実施の形態２に記載された構成に限定されるものではなく、本実施の形態の意図する範囲で適宜変更してもよい。
【産業上の利用可能性】
【００５７】
以上のように、本発明にかかる組込み型加熱調理器は、キッチンカウンターの天面と略同一面に構成でき、トータルコストを抑える事が出来るので、調理面もしくは略調理面に耐熱ガラス製のフラットデザインを有した全ての組込み型加熱調理器に有効である。
【符号の説明】
【００５８】
１  誘導加熱調理器
１ａ  誘導加熱コイル
１ｂ  インバーター回路
１ｃ  冷却装置
２  本体ケース
２ａ  固定片
３  トッププレートユニット
３ａ  吸気口
３ｂ  排気口
４  アンダーフレーム
４ａ  取付フック
５  トッププレート
６  飾り板
７  フランジ部
８  折り合わせ部
９、１６  キッチンカウンター
１０  フランジ
１１  接着剤
１２  凸部
１３  傾斜部
【図１】
0005919491.tif 000002
【図２】
0005919491.tif 000003
【図３】
0005919491.tif 000004
【図４】
0005919491.tif 000005
【図５】
0005919491.tif 000006